(57)【要約】【課題】本発明は上記課題を解決するために、通常燃焼時は燃焼量と対流フアンの能力は相関関係にあるが、対流用フィルターのほこり詰まり時は、フアンモーターの特性にて回転数を増加させる傾向にある。ほこり詰まり時の回転数増加はフアンモーターの特性に依存しているため燃焼量と対流フアンの能力が不一致になり、ほこり詰まり時の異常過熱時等に対して、過熱温度検出器が器具運転停止信号を検出する事が困難であった。【解決手段】本発明は上記課題を解決するために、ほこり詰まり時、過熱温度検出器が所定の温度になると、ファン回転数を任意に増加させ、過熱温度検出器の信号を検知を容易にする。【選択図】　図９
2004144361.tif 000002
【特許請求の範囲】
【請求項１】
ガスを燃焼するバーナーと、燃焼により発生した温風と、外部より取り込んだ空気とを混合する燃焼室と、温風を送出する対流ファンと、温風を吹出す温風吹出口で構成された温風暖房部と、ほこりや臭いを除去するためのフィルターと、外気を取り入れ送風する空気清浄用ファンと、前記フィルターを通過した空気を吹出す空気清浄吹出し口にて構成された空気清浄部からなり、前記温風暖房部よりも上部空気清浄部を設けた構成において、前記対流用フィルターのほこり詰まりを検出する過熱温度検出器の出力と、前記過熱温度検出器の出力とファン回転数を連動する制御装置を設け、前記過熱温度検出器がほこり詰まりを検出すると、対流用ファンの回転数を制御する演算制御装置を備えた温風暖房装置。
【請求項２】
演算制御装置は、過熱温度検出器がほこり詰まりを検出した際に対流ファンの回転数増加を開始し、過熱温度検出器が所定の温度に到達するまで、対流ファンの回転数を所定の回転数まで増加させることを特徴とした請求項１記載の温風暖房装置。
【請求項３】
演算制御装置は、過熱温度検出器がほこり詰まりを検出した際に各燃焼量毎に定められた所定の温度になれば、対流ファンの回転数増加を開始し、過熱温度検出器が各燃焼量毎に定められた所定の温度に到達するまで、対流ファンの回転数を各燃焼量毎に定められた所定の回転数まで増加させることを特徴とした請求項１または２記載の温風暖房装置。
【請求項４】
演算制御装置は、過熱温度検出器がほこり詰まりを検出した際に所定の燃焼量にて区分し、区分された所定の燃焼量以上であれば過熱温度検出器が第１の所定の温度に到達するまで、対流ファンの回転数増加を開始し、過熱温度検出器が区分された第１の所定の温度に到達するまで、対流ファンの回転数を区分された第２の所定の回転数まで増加させる。また区分された所定の燃焼量以下であれば過熱温度検出器が第３の所定の温度に到達するまで、対流ファンの回転数増加を開始し、過熱温度検出器が区分された第３の所定の温度に到達するまで、対流ファンの回転数を区分された第４の所定の回転数まで増加させることを特徴とした請求項１から３いずれか１項記載の温風暖装置。
【請求項５】
演算制御装置は、過熱温度検出器がほこり詰まりを検出した際に所定の温度以上になれば、対流ファンの回転数増加を開始し所定の回転数まで増加させることを特徴とした請求項１から４いずれか１項記載の温風暖房装置。
【請求項６】
演算制御装置は、過熱温度検出器がほこり詰まりを検出した際に各燃焼量毎に定められた所定の温度以上になれば、対流ファンの回転数増加を開始し、過熱温度検出器が各燃焼量毎に定められた所定の温度に到達するまで、対流ファンの回転数を所定の回転数まで増加させることを特徴とした請求項１から５いずれか１項記載の温風暖房装置。
【請求項７】
演算制御装置は、過熱温度検出器がほこり詰まりを検出した際に所定の燃焼量にて区分し、区分された所定の燃焼量以上であれば過熱温度検出器が第５の所定の温度に到達すれば、対流ファンの回転数増加を開始しする。また区分された所定の燃焼量以下であれば過熱温度検出器が第６の所定の温度に到達すれば、対流ファンの回転数増加を開始しさせることを特徴とした請求項１から６いずれか１項記載の温風暖房装置。
【請求項８】
演算制御装置は、過熱温度検出器がほこり詰まりを検出した際に対流ファンの回転数増加を開始し、過熱温度検出器が第７の所定の温度に到達するまで、対流ファンの回転数を所定の回転数まで増加させ、過熱温度検出器が第８の所定の温度にて対流ファンの回転数増加を停止することを特徴とした請求項１記載の温風暖房装置。
【発明の詳細な説明】
【０００１】
【発明の属する技術分野】
本発明は温風暖房装置の構成に関するものである。
【０００２】
【従来の技術】
従来の温風暖房装置を図１０に示す。この装置では、本体下部の温風暖房部と、温風暖房部上部に空気清浄部を配している。
【０００３】
温風暖房部は、バーナー１と、供給されたガスの燃焼を行い、燃焼により発生した排ガスと空気を混合する燃焼室２と、バーナー１の下方には温風３を送り出すための対流ファン４と、対流ファン４の前方には温風吹出口５が取付けられている。ケース６の後面には対流用空気７を取り入れるための対流用フィルター８がある。バーナー１でガスを燃焼させ、発生する高温の燃焼排ガス９と、燃焼室２の燃焼風路１０内で対流用フィルター８を通過した対流用空気７ａが混合される。混合された温風は、対流ファン４によって前面下部の温風吹出口５から温風３となって吹出され暖房を行う。対流用フィルター８にほこりが詰まると対流用空気７の流入が減少し燃焼室２の内部温度が上昇する。この燃焼室２内部の温度上昇を検知するため過熱温度検出器２４が備えられている。
【０００４】
暖房運転時は希望の室温にするため、室温調節スイツチがついており、希望の温度に設定すると、室温検出器２３にて室温を検出し、主制御装置２１に伝え、主制御装置２１にて演算し、室温設定温度を維持するためのガス量をガス燃焼用制御部２２と対流ファン４に制御信号を送り、ガス量と対流ファン４の能力を調整し設定室温を維持する。能力変化は例えば、最大〜最小まで７段階の能力制御を行う。
【０００５】
空気清浄部は、１２はグリルであり、このグリル吸込み口１３から空気を吸い込む。１４は臭いやホコリを除去するためのフィルターである。１５は清浄化された空気の吹出し口である。空気清浄用ファン１６が空気清浄風路１７の中に取付けつけられており、１８は空気通路ダクトである。
【０００６】
空気清浄運転時は、空気清浄用ファン１６が回転して室内空気１９がグリル吸込み口１３より吸い込まれ、フィルター１４でホコリや臭いを除去し、清浄化された空気２０が吹出し口１５より吹出される。空気清浄部は暖房運転の有無に関かわらず、空気清浄部運転が出来る。又暖房運転との同時運転も任意に出来る。
【０００７】
２１は主制御装置であり、空気清浄用ファン１６と対流ファン４を駆動させるフアンモーター２６と、ガス燃焼用制御部２２と対流用フィルター８の内側に取付けられた、室温検出器２３と過熱温度検出器２４は図の破線１１で電気的に接続されこれらを制御している。
【０００８】
【発明が解決しようとする課題】
しかしながら従来の構成では、次のような課題があった。通常燃焼時は燃焼量と対流フアン４の能力は相関関係にあり、燃焼量が増すと対流フアン４の能力も増し、燃焼量が減少すると対流フアン４の能力も減少する。しかし対流用フィルター８のほこり詰まり時、対流用空気７の流入が減少し燃焼室２の内部温度が上昇した場合、対流用フィルター８より対流用空気７の流入が減少し、対流フアン４に対する負荷が減少するため、フアンモーター２６の特性にて回転数を増加させる傾向にある。しかしフアンモーター２６の特性に依存されるため、対流用フィルター８のほこり詰まり時の負荷変動時は相関が比例的ではない。燃焼能力に対して器具の性能としては対流用フィルター８にほこりが付着した場合、燃焼量に対して同一のほこり量が付着すると、燃焼能力が最大の過熱温度検出器２４の温度より燃焼能力が最小の過熱温度検出器２４の温度の方が低くなるが、対流用フィルター８のほこり詰まり時の負荷変動時は相関が比例的ではないため、温度過熱温度検出器２４の設定位置、設定温度仕様決定に対して非常に困難が生じ、過熱温度検出器の最終の目的である、大量のほこり詰まり時等の、器具の異常過熱時の器具運転停止信号を検出する事も困難であった。
【０００９】
【課題を解決するための手段】
本発明は上記課題を解決するために、ガスを燃焼するバーナーと、燃焼により発生した温風と、外部より取り込んだ空気とを混合する燃焼室と、温風を送出する対流ファンと、温風を吹出す温風吹出口で構成された温風暖房部と、ほこりや臭いを除去するためのフィルターと、外気を取り入れ送風する空気清浄用ファンと、前記フィルターを通過した空気を吹出す空気清浄吹出し口にて構成された空気清浄部からなり、前記温風暖房部よりも上部空気清浄部を設けた構成において、前記ほこり詰まり時、過熱温度検出器が所定の温度になると、ファン回転数を増加させて、燃焼室内の温度を低下させる演算制御装置を備えている。
【００１０】
【発明の実施の形態】
請求項１に記載の発明は、前記対流用フィルターのほこり詰まりを検出する過熱温度検出器の出力と、ファン回転数を連動する制御装置を設け、前記過熱温度検出器がほこり詰まりを検出すると、対流用ファンの回転数増加を制御する演算制御装置を備えた温風暖房装置の構成とした。
【００１１】
そして、フィルターにほこりが付着し、流入空気量が減少すると燃焼室内の温度が上昇し、過熱温度検出器の温度も上昇することにより、過熱温度検出器の上昇信号を演算制御装置が演算することによってファン能力を増加させ、ほこ詰まり量の増加に伴う燃焼室内の温度上昇を緩やかにし、ほこり詰まり量とフアン能力を同期させる。
【００１２】
請求項２に記載の発明は、過熱温度検出器がほこり詰まりを検出した際に対流ファンの回転数増加を開始し、過熱温度検出器が所定の温度に到達するまで対流ファンの回転数を所定の回転数まで増加させる制御を行うことによって、ほこり詰まりによる燃焼室内の温度は高くなっているが、過熱温度検出器が所定の温度に到達するまで対流ファンの回転数を所定の回転数まで増加させることにより、ほこり詰まりによる燃焼室内の急激な温度上昇を無くすことができ、所定の過熱温度検出器の温度にて異常過熱時の温度検知を行うことができる。
【００１３】
請求項３に記載の発明は、過熱温度検出器がほこり詰まりを検出した際に各燃焼量毎に定められた所定の値になれば、対流ファンの回転数増加を開始し、過熱温度検出器が各燃焼量毎に定められた所定の温度に到達するまで、対流ファンの回転数を所定の回転数まで増加させることを行うことによって、同一ほこり詰まり量に対して、燃焼量が強より弱の時の燃焼室内の温度を低くし、所定の過熱温度検出器の温度にて異常過熱時の温度検知を行うことができる。
【００１４】
請求項４に記載の発明は、過熱温度検出器がほこり詰まりを検出した際に所定の燃焼量にて区分し、区分された燃焼量以上と以下にて所定の値になれば、対流ファンの回転数増加を開始し、過熱温度検出器が区分された所定の温度に到達するまで、対流ファンの回転数を所定の回転数まで増加させることを行うことによって、同一ほこり詰まり量に対して、燃焼量が強から弱の中間域にて区分することにより、燃焼量が強より弱の時の燃焼室内の温度を低くし、所定の過熱温度検出器の温度にて異常過熱時の温度検知を行うことができる。
【００１５】
請求項５に記載の発明は、過熱温度検出器がほこり詰まりを検出した際に所定の温度以上になれば、対流ファンの回転数増加を開始し所定の回転数まで増加させることを行うことによって、器具個々のファン回転数バラツキや、微小のほこり詰まりにおいても、過熱温度検出器がほこり詰まりを検出するため、ファン回転数の増加開始を所定の温度以上より開始することにて、通常時のファン回転数を安定させ、且つ器具個々のファン回転数バラツキや、微小のほこり詰まりにおいての誤動作を防ぐ。
【００１６】
請求項６に記載の発明は、過熱温度検出器がほこり詰まりを検出した際に各燃焼量毎に定められた所定の温度以上になれば、対流ファンの回転数増加を開始し、過熱温度検出器が各燃焼量毎に定められた所定の温度に到達するまで、対流ファンの回転数を所定の回転数まで増加させることよって、同一ほこり詰まり量に対して、燃焼量が強より弱の時の燃焼室内の温度が低くなるため、強より弱に燃焼量が低下するに従い、各燃焼量毎にファン回転数開始温度を変化させることにて、
通常時のファン回転数を安定させ、且つ器具個々のファン回転数バラツキや、微小のほこり詰まりにおいての誤動作を防ぐ。
【００１７】
請求項７に記載の発明は、過熱温度検出器がほこり詰まりを検出した際に所定の燃焼量にて区分し、区分された燃焼量以上と以下にて所定の温度以上になれば、対流ファンの回転数増加を開始し、過熱温度検出器が区分された所定の温度に到達するまで、対流ファンの回転数を所定の回転数まで増加させることにて、同一ほこり詰まり量に対して、燃焼量が強から弱の中間域にて区分することにより、燃焼量が強より弱の時の燃焼室内の温度を低くし、通常時のファン回転数を安定させ、且つ器具個々のファン回転数バラツキや、微小のほこり詰まりにおいての誤動作を防ぐ。
【００１８】
請求項８に記載の発明は、過熱温度検出器がほこり詰まりを検出した際に対流ファンの回転数増加を開始し、過熱温度検出器が所定の温度に到達するまで、対流ファンの回転数を所定の回転数まで増加させ、所定の温度にて対流ファンの回転数増加を停止する。ほこり詰まりの増加に対して、過熱温度検出器が所定の温度に到達すれば対流ファンの回転数増加をし、所定の温度にて対流ファンの回転数増加を停止することにて、ほこり詰まりによる燃焼室の異常温度上昇を防止する。
【００１９】
【実施例】
（実施例１）
以下、本発明の実施例について図１に基づいて説明する。温風暖房装置の構成については従来例と同一の符号を用いて説明しする。ここではバーナーによる燃焼量が７段階で制御可能な構成とする。燃焼量７レベルを強燃焼とし、燃焼量１を弱レベルとして説明する。また、ここではほこり詰まり検出器は燃焼室内の過熱検出器２４であり、演算制御装置２５を搭載し主制御装置２１と破線で接続されている。
【００２０】
図２にほこり詰まりを検知してからのシーケンスを示す。
【００２１】
まず、暖房運転時Ｓ−１、フィルター８へのほこり詰まりＳ−２にて、燃焼室２内での過熱温度検出器２４の温度が上昇する。燃焼室内２の過熱温度検出器２４の温度が上昇開始Ｓ−３すれば対流ファン４の回転数を増加Ｓ−４させる。
【００２２】
図３にほこり詰まりを検知してからのフアン回転数増加のシーケンスを示す。暖房運転時Ｓ−５、フィルター８へのほこり詰まりＳ−６発生にて、燃焼室内２での過熱温度検出器２４の温度が上昇する。燃焼室内２の過熱温度検出器２４の温度が上昇開始Ｓ−７すれば、過熱温度検出器２４が所定の温度に到達するまで対流ファン４の回転数を所定の回転数まで増加Ｓ−８させる。
【００２３】
図４にほこり詰まりを検知してからのフアン回転数増加のシーケンスを示す。暖房運転時Ｓ−９、フィルター８へのほこり詰まりＳ−１０発生にて、燃焼室内２での過熱温度検出器２４の温度が上昇する。燃焼室内２の過熱温度検出器２４の温度が上昇開始Ｓ−１１し、過熱温度検出器２４がほこり詰まりを検出した際に各燃焼量毎に定められた所定の温度になれば、対流ファン４を各燃焼量毎に定められた所定の回転数増加を開始し、過熱温度検出器２４が各燃焼量毎に定められた所定の温度に到達するまで、対流ファン４の回転数を各燃焼量毎に定められた所定の回転数まで増加Ｓ−１２させることを行うことによって、同一ほこり詰まり量に対して、燃焼量が強より弱の時の燃焼室内２の温度を低くし、所定の過熱温度検出器２４の温度にて異常過熱時の温度検知を行うことができる。
【００２４】
図５にほこり詰まりを検知してからのフアン回転数増加のシーケンスを示す。暖房運転時Ｓ−１３、フィルター８へのほこり詰まりＳ−１４発生にて、燃焼室内２での過熱温度検出器２４の温度が上昇する。過熱温度検出器２４の温度が上昇開始Ｓ−１５しほこり詰まりを検出した際に、燃焼量を４／７以上と３／７以下に区分Ｓ−１６し、区分Ｓ−１６された所定の燃焼量４／７Ｓ−１７以上であれば過熱温度検出器２４が第１の所定の温度に到達するまで、、対流ファンの回転数を第２の所定の回転数まで増加させる。また区分Ｓ−１６された所定の燃焼量３／７以下Ｓ−１８であれば過熱温度検出器２４が第３の所定の温度に到達するまで、対流ファン４の回転数を第４の所定の回転数まで増加させることを行うことによって、同一ほこり詰まり量に対して、燃焼量が強から弱の中間域にて区分Ｓ−１６することにより、燃焼量が強より弱の時の燃焼室２内の温度を低くし、所定の過熱温度検出器２４の温度にて異常過熱時の温度検知を行うことができる。
【００２５】
図６にほこり詰まりを検知してからのフアン回転数増加のシーケンスを示す。暖房運転時Ｓ−１９、フィルター８へのほこり詰まりＳ−２０発生にて、燃焼室内２での過熱温度検出器２４の温度が上昇する。燃焼室内２の過熱温度検出器２４の温度が上昇開始Ｓ−２１し、過熱温度検出器２４がほこり詰まりを検出した際に所定の温度以上Ｓ−２２になれば、対流ファン４の回転数増加を開始し所定の回転数まで増加Ｓ−２３させることを行うことによって、器具個々のファン回転数バラツキや、微小のほこり詰まりにおいても、過熱温度検出器２４がほこり詰まりを検出するため、ファン回転数の増加開始を所定の温度以上Ｓ−２２より開始することにて、通常時の器具個々のファン回転数バラツキや、微小のほこり詰まりにおいての誤動作を防ぐ。
【００２６】
図７にほこり詰まりを検知してからのフアン回転数増加のシーケンスを示す。暖房運転時Ｓ−２４、フィルター８へのほこり詰まりＳ−２５発生にて、過熱温度検出器２４がほこり詰まりをにて、温度上昇開始Ｓ−２６した際に各燃焼量毎に定められた所定の温度以上Ｓ−２７になれば、対流ファン４の回転数増加を開始Ｓ−２８し、過熱温度検出器２４が各燃焼量毎に定められた所定の温度に到達するまで、対流ファン４の回転数を所定の回転数まで増加させることよって、同一ほこり詰まり量に対して、燃焼量が強より弱の時の燃焼室２内の温度が低くなるため、強より弱に燃焼量が低下するに従い、各燃焼量毎にファン回転数開始温度を変化させることにて、通常時のファン回転数を安定させ、且つ器具個々のファン回転数バラツキや、微小のほこり詰まりにおいての誤動作を防ぐ。
【００２７】
図８にほこり詰まりを検知してからのフアン回転数増加のシーケンスを示す。暖房運転時Ｓ−２９、フィルター８へのほこり詰まりＳ−３０発生にて、過熱温度検出器２４がほこり詰まりにて温度上昇を開始Ｓ−３１した際に、所定の燃焼量４／７以上と３／７以下に区分Ｓ−３２し、区分Ｓ−３２された所定の燃焼量４／７以上Ｓ−３３であれば過熱温度検出器２４が第５の所定の温度に到達すれば、対流ファン４の回転数増加Ｓ−３４を開始する。また区分Ｓ−３２された所定の燃焼量３／７以下Ｓ−３５であれば過熱温度検出器２４が第６の所定の温度に到達すれば、所定の対流ファンの回転数増加Ｓ−３６を開始させることにて、同一ほこり詰まり量に対して、燃焼量が４／７以上と３／７以下の中間域にて区分Ｓ−３２することにより、燃焼量が強より弱の時の燃焼室２内の温度を低くし、通常時のファン回転数を安定させ、且つ器具個々のファン回転数バラツキや、微小のほこり詰まりにおいての誤動作を防ぐ。
【００２８】
図９にほこり詰まりを検知してからのフアン回転数増加のシーケンスを示す。暖房運転時Ｓ−３７、フィルター８へのほこり詰まり発生Ｓ−３８にて、過熱温度検出器２４がほこり詰まりを検出し、過熱温度検出器２４が温度上昇開始Ｓ−３９した際に、過熱温度検出器２４が第７の所定の温度Ｓ−４０に到達すれば、対流ファン４の回転数増加を開始Ｓ−４１し、過熱温度検出器２４が第８の所定の温度Ｓ−４２にて対流ファン４の回転数増加を停止Ｓ−４３する。ほこり詰まりの増加に対して、過熱温度検出器２４が第７の所定の温度Ｓ−４０に到達すれば対流ファン４の回転数増加Ｓ−４１し、第８の所定の温度Ｓ−４２にて対流ファンの回転数増加を停止Ｓ−４３することにて、ほこり詰まりによる燃焼室の異常温度上昇を的確に検知する。
【００２９】
【発明の効果】
以上のような本発明によれば、対流用フィルター等のほこり詰まりにて対流用空気不足時、ファン回転数をほこり詰まり状態に同期させて回転数を増加させ、燃焼室内の急激な温度上昇を防止でき、器具外装温度が上昇することも防止できるので、装置自体の耐久性の向上につながる。またファン回転数をほこり詰まり状態に同期させて回転数を増加させているため、過熱温度検出器の温度検出も容易になり、対流用フィルター等のほこり詰まり時、任意のファン回転数増加にて過熱温度検出器の温度設定が任意に出来る。
【図面の簡単な説明】
【図１】本発明の温風暖房装置の構成図
【図２】本発明の第１の実施例における温風暖房装置の主制御部のフローチャート
【図３】本発明の第２の実施例における温風暖房装置の主制御部のフローチャート
【図４】本発明の第３の実施例における温風暖房装置の主制御部のフローチャート
【図５】本発明の第４の実施例における温風暖房装置の主制御部のフローチャート
【図６】本発明の第５の実施例における温風暖房装置の主制御部のフローチャート
【図７】本発明の第６の実施例における温風暖房装置の主制御部のフローチャート
【図８】本発明の第７の実施例における温風暖房装置の主制御部のフローチャート
【図９】本発明の第８の実施例における温風暖房装置の主制御部のフローチャート
【図１０】従来の温風暖房装置の構成図
【符号の説明】
２　燃焼室
３　温風吹出口
４　対流用ファン
１６　空気清浄用ファン
２１　主制御装置
２２　ガス燃焼用制御部
２３　室温検出器
２４　過熱温度検出器
【図１】
2004144361.tif 000003
【図２】
2004144361.tif 000004
【図３】
2004144361.tif 000005
【図４】
2004144361.tif 000006
【図５】
2004144361.tif 000007
【図６】
2004144361.tif 000008
【図７】
2004144361.tif 000009
【図８】
2004144361.tif 000010
【図９】
2004144361.tif 000011
【図１０】
2004144361.tif 000012